(57)【要約】【課題】熱効率を向上させることができる空気調和機の室外機を提供すること。【解決手段】圧縮機および熱交換器と、室内機の熱交換器と連結される第１配管および第２配管をそれぞれ接続する第１接続部材および第２接続部材と、前記第１接続部材を支持する第１支持部および前記第２接続部材を支持する第２支持部を有する取付部材とを備え、  前記取付部材は、前記第１および第２支持部間に断熱部が設けられていることを特徴とする空気調和機の室外機。【選択図】図３
2019074284.tif 000002
【特許請求の範囲】
【請求項１】
圧縮機および熱交換器と、室内機の熱交換器と連結される第１配管および第２配管をそれぞれ接続する第１接続部材および第２接続部材と、前記第１接続部材を支持する第１支持部および前記第２接続部材を支持する第２支持部を有する取付部材とを備え、
前記取付部材は、前記第１および第２支持部間に断熱部が設けられていることを特徴とする空気調和機の室外機。
【請求項２】
前記取付部材は、一体の部材であり、
前記断熱部は、前記第１支持部と前記第２支持部との間に形成されたスリットである請求項１に記載の室外機。
【請求項３】
前記取付部材は、前記第１支持部を有する第１支持部材と、前記第２支持部を有する第２支持部材とから少なくとも構成され、
前記断熱部は、前記第１支持部材と前記第２支持部材との間に設けられた隙間である請求項１に記載の室外機。
【請求項４】
前記取付部材は樹脂で形成され、
前記断熱部は、前記樹脂からなる前記第１支持部と前記第２支持部との間の部分である請求項１に記載の室外機。
【請求項５】
前記取付部材、前記第１接続部材および前記第２接続部材を覆うカバー部材と、蓋部材  とをさらに備え、
前記カバー部材は、前記第１および第２配管を通す開口部を有し、
前記蓋部材は、前記カバー部材の前記開口部に配置されかつ前記第１および第２配管を個別に通す２つの引出口が設けられた蓋部と、前記取付部材の前記断熱部としての前記スリットまたは前記隙間に差し込んで取り付け可能に前記蓋部に連設されたプレート部とを有する請求項２または３に記載の室外機。
【請求項６】
前記取付部材、前記第１接続部材および前記第２接続部材を覆う内側カバー部材と、前記内側カバー部材を覆うカバー部材とをさらに備え、
前記カバー部材は、前記第１および第２配管を通す開口部を有し、
前記内側カバー部材は、前記第１および第２配管を個別に通す２つの引出口を有するカバー部と、前記取付部材の前記断熱部としての前記スリットまたは前記隙間に差し込んで取り付け可能に前記カバー部に連設されたプレート部とを有する請求項２または３に記載の室外機。
【請求項７】
前記内側カバー部材は、前記カバー部の内面に設けられた断熱材をさらに有する請求項６に記載の室外機。
【発明の詳細な説明】
【技術分野】
【０００１】
本発明は、空気調和機の室外機に関する。
【背景技術】
【０００２】
従来の分離型の空気調和機の室外機として、圧縮機および熱交換器を内部に収納する筐体と、室内機と接続された一端部をそれぞれ有する第１冷媒配管および第２冷媒配管の他端部とそれぞれ接続される二方弁および三方弁と、二方弁および三方弁を筐体に取り付ける金属製の取付板（フレアダイ）とを備え、取付板が筐体の底板に固定されている室外機が提案されている（例えば、特許文献１および２）。
【先行技術文献】
【特許文献】
【０００３】
【特許文献１】特開平９−１５９２２２号公報
【特許文献２】特開２０１６−２１７６６８号公報
【発明の概要】
【発明が解決しようとする課題】
【０００４】
空気調和機の運転時、冷媒が第１冷媒配管と第２冷媒配管を介して室外機と室内機との間を循環しており、室外機の二方弁および三方弁のうちの一方には高温の冷媒が流れ、他方には低温の冷媒が流れる。そのため、金属製の取付板を介して二方弁と三方弁との間で熱交換が発生し、その熱交換が空気調和機の熱効率を低下させる要因の一つとなっていた。
【０００５】
本発明は、このような課題に鑑みなされたものであり、熱効率を向上させることができる空気調和機の室外機を提供することを目的とする。
【課題を解決するための手段】
【０００６】
かくして、本発明によれば、圧縮機および熱交換器と、室内機の熱交換器と連結される第１配管および第２配管をそれぞれ接続する第１接続部材および第２接続部材と、前記第１接続部材を支持する第１支持部および前記第２接続部材を支持する第２支持部を有する取付部材とを備え、
前記取付部材は、前記第１および第２支持部間に断熱部が設けられている空気調和機の室外機が提供される。
【発明の効果】
【０００７】
本発明によれば、次の効果を奏する。
すなわち、空気調和機の運転時において、室外機の第１接続部材および第２接続部材のうちの一方には高温の冷媒が流れ、他方には低温の冷媒が流れるため、第１および第２接続部材間で熱交換が生じてエネルギーロスとなるが、取付部材の第１および第２支持部間に設けられた断熱部によって第１および第２接続部材間の熱伝導が抑制される。この結果、空気調和機の熱効率が向上し、省エネルギー効果が見込まれる。
【図面の簡単な説明】
【０００８】
【図１】本発明の空気調和機の室外機の内部構成を説明する分解図である。
【図２】本発明の空気調和機の室外機の前パネルを取り外した状態を示す正面図である。
【図３】実施形態１の室外機のカバー部材を取り外した状態を示す斜視図である。
【図４】実施形態１の室外機における取付部材を示す正面図である。
【図５】実施形態１における取付部材、第１および第２接続部材を介して第１および第２配管が接続された状態を示す部分斜視図である。
【図６】図５に対応する部分正面図である。
【図７】カバー部材を取り付けた実施形態１の室外機の部分斜視図である。
【図８】実施形態２の室外機に用いられる蓋部材を示す斜視図である。
【図９】（Ａ）は実施形態２の室外機の取付部材に図８の蓋部材を取り付けた状態を示す部分斜視図であり、（Ｂ）はさらにカバー部材を室外機の筐体に取り付けた状態を示す部分斜視図である。
【図１０】実施形態３の室外機に用いられる内側カバー部材を示す斜視図である。
【図１１】実施形態３の室外機の取付部材および筐体に図１０の内側カバー部材およびカバー部材を取り付ける状態を示す説明図である。
【図１２】（Ａ）は実施形態４の室外機に用いられる取付部材を示す正面図であり、（Ｂ）は室外機の筐体に実施形態４の取付部材、第１および第２接続部材を介して第１および第２配管が取り付けられた状態を示す部分側面図である。
【図１３】実施形態５の室外機に用いられる取付部材を示す正面図である。
【発明を実施するための形態】
【０００９】
（実施形態１）
室内熱交換器を有する室内機と室外熱交換器を有する室外機とからなるセパレート型空気調和機を用いて説明する。
図１は本発明の空気調和機の室外機の内部構成を説明する分解図であり、図２は本発明の空気調和機の室外機の前パネルを取り外した状態を示す正面図であり、図３は実施形態１の室外機のカバー部材を取り外した状態を示す斜視図である。
【００１０】
＜室外機の全体構成＞
実施形態１の空気調和機の室外機１は、図１〜図３に示すように、直方体形の筐体１０と、筐体１０内に収納された熱交換器（室外熱交換器）２０、送風機３０、圧縮機４０、配管部５０およびケース（電装ボックス）にて覆われた回路基板６０と、筐体１０の一側面に取付部材７０を介して取り付けられた第１接続部材８１および第２接続部材８２とを主たる構成要素として備える。
【００１１】
筐体１０は、底板１１、左右の側板１２、１３、前板１４および天板１６を有し、これらがビスにて連結して組み立てられる。
筐体１０の一側面を構成する右側板１３には、取付部材７０を取り付ける開口部が設けられると共に、樹脂製のカバー部材（バルブカバー）９１が取り付けられる。
【００１２】
前板１４には、円形の排気口１４ａが設けられると共に、排気口１４ａに円形のグリル１４ｂが取り付けられている。
熱交換器２０は、筐体１０の左側板１２および右側板１３の内面に沿うように底板１１にて支持されると共に、配管部５０と接続されている。
なお、筐体１０において、格子状の吸気口を有する後板が設けられてもよい。
【００１３】
また、筐体１０内には、送風機３０を収納する左側スペースと配管部５０を収納する右側スペースとを区画する区画板１７が底板１１にて支持されるよう設けられている。左側スペースにおける左右の略中間位置にかつ熱交換器２０に沿って支柱板１８（モータアングル）が底板１１にて支持されるよう設けられ、電装ボックス（回路基板６０）を水平状に支持する支持板１９が支柱板１８にて支持されるよう設けられている。
【００１４】
支柱板１８は、帯形の金属プレートを型抜きし、かつ折り曲げて所定強度を有するように形成されており、その上端部および下端部が支持板１８および底板１１に連結されている。
また、支柱板１８は、上部および下部に略長方形の通風孔１８ａを有し、上下の通風孔１８ａの間の中間部に送風機３０が取り付けられている。
【００１５】
送風機３０は、支柱板１８の中間部に固定されたモータ３０ａと、モータ３０ａの出力軸に固定された２枚羽根形のプロペラ３０ｂ（プロペラファン３０ｂ）とを有し、モータ３０ａによってプロペラ３０ｂが反時計回りに回転する。
【００１６】
配管部５０は、膨張弁またはキャピラリーチューブまたはその両方を有しかつ熱交換器２０と第１接続部材８１とを接続する液体冷媒配管部と、四方弁を有し第２接続部材８２を前記四方弁を介して圧縮機４０に接続する気体冷媒配管部とを備える。
なお、第１接続部材８１としては二方弁が用いることができ、第２接続部材８２としては三方弁を用いることができる。また、第１接続部材８１および第２接続部材８２は、冷媒を流通させる渡り配管としての第１配管１０１および第２配管１０２を介して図外の室内機の熱交換器と接続される。
すなわち、圧縮機、四方弁、室外熱交換器、膨張機構（膨張弁、キャピラリーチューブ）、二方弁、第１配管、室内熱交換器、第２配管、三方弁にて冷凍サイクルが形成されている。
以下、第１接続部材８１を二方弁８１と称し、第２接続部材８２を三方弁８２と称する場合がある。
【００１７】
空気調和機の運転時、室外機１においては、圧縮機４０の駆動により冷媒が循環して熱サイクル（冷凍サイクル）が運転される。この際、送風機３０を駆動することにより、回転するプロペラ３０ｂの吸引力によって外気が吸気口１５ａおよび熱交換器２０を通過して筐体１０内に流入する。熱交換器２０を通過した外気は熱交換されて排気口１４ａから外部に吹き出される。
【００１８】
また、冷媒が第１配管１０１と第２配管１０２を介して室外機１と図外の室内機との間を循環し、室外機１の二方弁８１および三方弁８２のうちの一方には高温の冷媒が流れ、他方には低温の冷媒が流れる。具体的には、空気調和機の通常の冷房運転時には、圧縮機から吐出された高温高圧の気体冷媒は、四方弁を介して、室外熱交換器に流入する。室外熱交換器にて放熱し、中温高圧の液冷媒となり、膨張弁にて、低温低圧の液冷媒となる。二方弁８１に低温低圧の液冷媒が流れ、第１配管を通って、室内熱交換器に流入する。室内熱交換器にて吸熱し中温（通常、室内熱交換器に流入する液冷媒よりも高温）低圧の気体冷媒となる、気体冷媒は第２配管を通り、三方弁８２に中温の気体冷媒が流れる。気体冷媒は四方弁を介して、圧縮機に流入する。すなわち、通常の冷房運転時においては、基本的には二方弁の温度は三方弁の温度よりも低くなる。
通常の暖房運転時には圧縮機から吐出された高温高圧の冷媒は、四方弁を介して、三方弁を通る。すなわち、三方弁には、高温高圧の気体冷媒が流れる。三方弁を通った冷媒は、第２配管を通り、室内熱交換器に流入する。室内熱交換器にて放熱し、中温高圧（通常、室内熱交換器に流入する気体冷媒よりも低温）の液冷媒となり、第１配管を通って、二方弁に流入する。すなわち、二方弁には低温の液体冷媒が流れる。その後、膨張弁にて、低温低圧の液冷媒となり、室外熱交換器に流入する。室外熱交換器にて吸熱し、中温低圧の気体冷媒となり、四方弁を介して、圧縮機に流入する。すなわち、通常の暖房運転時においては、基本的には二方弁の温度は三方弁の温度よりも低くなる。
すなわち、通常の冷房運転時、通常の暖房運転時いずれにおいても、基本的には二方弁を流れる冷媒の温度は、三方弁を流れる冷媒の温度よりも低くなる。
そのため、二方弁８１と三方弁８２との間で取付部材７０を介して熱交換（熱伝導）が生じるが、本発明における取付部材７０はこの熱交換を抑制するものとして設けられている。
【００１９】
＜取付部材＞
図４は実施形態１の室外機における取付部材を示す正面図であり、図５は実施形態１における取付部材、第１および第２接続部材を介して第１および第２配管が接続された状態を示す部分斜視図である。また、図６は図５に対応する部分正面図であり、図７はカバー部材（バルブカバー）を取り付けた実施形態１の室外機の部分斜視図である。
【００２０】
図４〜図７に示すように、取付部材７０は、二方弁８１を支持する第１支持部７１と、三方弁８２を支持する第２支持部７２と、第１および第２支持部７１、７２を連結しかつ筐体１０の一側面（右側板１３）に取り付けるための平板部７３と、二方弁および三方弁８１、８２間の熱交換を抑制するように第１および第２支持部７１、７２間に設けられた断熱部７４とを有する金属製の一体の部材である。
【００２１】
取付部材７０において、第１および第２支持部７１、７２は平板部７３の外面よりも外側へ盛り上がる凸形に形成されている。
また、複数の取付用孔部が平板部７３、第１および第２支持部７１、７２に形成されている。具体的には、第１支持部７１の中央部に大径孔部７１ａが配置され、大径孔部７１ａを挟むように小径の一対のネジ孔部７１ｂが斜め縦方向に並んで配置されている。第２支持部７２にも同様に大径孔部７２ａおよび一対のネジ孔部７２ｂが配置されている。
【００２２】
二方弁８１は、筐体１０の外部において後方に突出する外部接続部８１ａ（図５、図６においては、外部接続部８１ａにナットが取付けられた状態である）と、側方に突出するキャップ部８１ｂと、取付部材７０の第１支持部７１に固定される一対のボルト挿通孔を有する基台部８１ｄとを有すると共に、第１支持部７１の大径孔部７１ａを挿通する図示しない内部接続部を有する。
三方弁８２は、筐体１０の外部において後方に突出する外部接続部８２ａ（図５、図６においては、外部接続部８２ａにナットが取付けられた状態である）と側方に突出するキャップ部８２ｂと前方に突出するサービスポート部８２ｃと取付部材７０の第２支持部７２に固定される一対のボルト挿通孔を有する基台部８２ｄとを有すると共に、第２支持部７２の大径孔部７２ａを挿通する図示しない内部接続部を有する。
なお、冷媒は、冷媒配管としての第１配管１０１（細管）および第２配管１０２（太管）に二方弁８１および三方弁８２をそれぞれ接続した後、三方弁８２のサービスポート部８２ｃから配管部５０内へ充填される。
【００２３】
筐体１０の右側板１３の取付部材７０を取り付ける部分には下部開口部が設けられると共に、この下部開口部から配管部５０の前記液体冷媒配管部の一端部および前記気体冷媒配管部の一端部が外部へ露出しており、これらの一端部は取付部材７０を介して二方弁８１および三方弁８２の各内側接続部と気密に接続されている。この状態で二方弁８１の基台部８１ｄが取付部材７０の第１支持部７１のネジ孔部７１ｂに螺着されたボルト８１ｅにて固定され、かつ三方弁８２の基台部８２ｄが取付部材７０の第２支持部７２のネジ孔部７２ｂに螺着されたボルト８２ｅにて固定される。さらに、この状態で筐体１０の下部開口部を塞ぐように取付部材７０の外周部がネジ止めされる。
【００２４】
取付部材７０において、断熱部７４は、第１支持部７１と第２支持部７２との間に形成されたスリットである。
断熱部７４としてのスリットを有する取付部材７０は、例えば、スリットおよび大径孔部７１ａ、７２ａ等を形成するよう型抜きした金属プレートをプレス成形して作製することができる。なお、プレス成形後の取付部材７０の内面側におけるネジ孔部７１ｂ、７２ｂを形成すべき孔の内周面にタップを用いて雌ネジが形成される。
【００２５】
空気調和機の運転時には、前記のように二方弁８１および三方弁８２のうちの一方に高温の冷媒が流れかつ他方に低温の冷媒が流れているため、金属製の取付部材７０を介して二方弁８１と三方弁８２との間で熱交換が生じる。本実施の形態では、断熱部７４として、二方弁８１と三方弁８２との間にスリットを設けることにより二方弁８１と三方弁８２との間（第１支持部７１と第２支持部７２との間）で熱が伝わりにくくなるため、熱交換が抑制される。この結果、この室外機１を備えた空気調和機の熱効率が向上する。
【００２６】
＜カバー部材＞
図１、図２および図７に示すように、筐体１０の右側板１３の外面に取り付けられるカバー部材９１（バルブカバー）は、右側板１３の下部に設けられた取付部材７０、二方弁８１および三方弁８２を覆う膨らみ部９１ａと、膨らみ部９１ａと連設されて右側板１３の上部を覆う平板状の上部カバー部９１ｂと、第１配管１０１および第２配管１０２をそれぞれ個別に通すように膨らみ部９１ａの後壁９１ａ1に設けられた２つの引出口９１ｃとを有する。
【００２７】
カバー部材９１において、２つの引出口９１ｃは、膨らみ部９１ａの後壁９１ａ1の筐体１０と接触する端縁部に左右方向にかつ上下に並んで切欠き形成されてなる。
この２つの引出口９１ｃに第１および第２配管１０１、１０２を通すようにしながら筐体１０の右側板１３に前記構成のカバー部材９１を取り付けることにより、取付部材７０のスリット（断熱部７４）から室外機１内部への雨や家屋外壁の洗浄時の散水といった水の侵入を阻止することができる。また、カバー部材９１は、筐体１０の右側板の上部に設けられて室外機と室内機とを電気的に接続する接続部分である電装部を覆う、高温または低温となる二方弁８１および三方弁８２に人が触れないように覆う、二方弁８１および三方弁８２に外力が加わって破損しないように保護するといった役割も担う。
【００２８】
（実施形態２）
図８は実施形態２の室外機に用いられる蓋部材を示す斜視図である。また、図９（Ａ）は実施形態２の室外機の取付部材に図８の蓋部材を取り付けた状態を示す部分斜視図であり、（Ｂ）はさらにカバー部材を室外機の筐体に取り付けた状態を示す部分斜視図である。なお、図９（Ａ）および（Ｂ）において、図５中の要素と同様の要素には同一の符号を付している。
【００２９】
実施形態２の室外機は、実施形態１の室外機に設けられていたカバー部材９１とは構成が異なるカバー部材１９１を備えると共に、図８で示した蓋部材１９２をさらに備えている。なお、実施形態２におけるその他の構成は実施形態１と同様である。
以下、実施形態２における実施形態１とは異なる点を主に説明する。
【００３０】
実施形態２におけるカバー部材１９１は、実施形態１におけるカバー部材９１と同様の膨らみ部１９１ａおよび上部カバー部１９１ｂを有すると共に、膨らみ部１９１ａの後部全体が開口して第１配管１０１および第２配管１０２を通す開口部１９１ｃを有する（図１１参照）。
【００３１】
蓋部材１９２は、第１配管１０１および第２配管１０２をそれぞれ個別に通す２つの引出口を有し、第１配管１０１および第２配管１０２を２つの引出口１９２ａ1に通しながらカバー部材１９１の開口部１９１ｃを塞ぐように取付部材７０に取り付けられる。
【００３２】
さらに詳しく説明すると、蓋部材１９２は、２つの引出口１９２ａ1を有する蓋部１９２ａと、取付部材７０に取り付け可能なように蓋部１９２ａに連設されたプレート部１９２ｂとを有する。
プレート部１９２ｂは、蓋部１９２ａの内面に垂直にかつ２つの引出口１９２ａ1の間に連設されている。
【００３３】
実施形態２の前記構成によれば、第１および第２配管１０１、１０２を蓋部材１９２の蓋部１９２ａの２つの引出口１９２ａ1に通しながらプレート部１９２ｂを取付部材７０のスリット（断熱部７４）に差し込んで取り付けることができると共に、蓋部材１９２に干渉することなくカバー部材１９１を筐体１０の右側板１３に取り付けることができる。
【００３４】
これにより、実施形態１と同様に、蓋部材１９２の蓋部１９２ａによってカバー部材１９１内への水の侵入が阻止され、さらに、取付部材７０のスリット（断熱部７４）が蓋部材１９２のプレート部１９２ｂによって塞がれるため、室外機１の内部への水の侵入がより一層防止される。なお、取付部材７０のスリット（断熱部７４）によって取付部材７０を媒介とした二方弁８１および三方弁８２の間の熱交換も抑制されることは言うまでもない。
【００３５】
蓋部材１９２は金属製よりも断熱効果が高い樹脂製であることが好ましい。蓋部材１９２が金属製であっても、プレート部１９２ｂとスリット（断熱部７４）との間に多少の隙間ができるため断熱効果があるが、金属は樹脂に比べると熱伝導性が高いため、蓋部材１９２は樹脂製であることが好ましい。
【００３６】
（実施形態３）
図１０は実施形態３の室外機に用いられる内側カバー部材を示す斜視図であり、図１１は実施形態３の室外機の取付部材および筐体に図１０の内側カバー部材およびカバー部材を取り付ける状態を示す説明図である。なお、図１１において、図５中の要素と同様の要素には同一の符号を付している。
【００３７】
実施形態３の室外機は、実施形態２の室外機に設けられていた蓋部材１９２の代わりに図１０で示した内側カバー部材２９２を用いること以外は、実施形態２の室外機と同様である。
以下、実施形態３における実施形態２とは異なる点を主に説明する。
【００３８】
実施形態３の室外機は、取付部材７０、二方弁８１および三方弁８２を覆う内側カバー部材２９２と、内側カバー部材２９２を覆うように筐体１０の右側板１３に取り付けられるカバー部材１９１（バルブカバー）とを備え、カバー部材１９１は実施形態２のものと同じである。
【００３９】
内側カバー部材２９２は、取付部材７０、二方弁８１および三方弁８２を覆うカバー部２９２ａと、取付部材７０のスリット（断熱部７４）に取り付け可能なようにカバー部２９２ａに連設されたプレート部２９２ｂとを有する。
カバー部２９２ａは、プレート部２９２ｂを挟んで上下に二方弁８１および三方弁８２を収納する上部スペース２９２ａ1および下部スペース２９２ａ2を有すると共に、上部および下部スペース２９２ａ1、２９２ａ2を構成する後壁に２つの引出口２９２ａ3が切欠き形成されている。
さらに、カバー部２９２ａの内面にはシート状の断熱材２９２ｃが貼り付けられている。
【００４０】
実施形態３の前記構成によれば、第１および第２配管１０１、１０２を内側カバー部材２９２の２つの引出口２９２ａ3に通しながらプレート部２９２ｂを取付部材７０のスリット（断熱部７４）に差し込んで取り付けることができると共に、内側カバー部材２９２に干渉することなくカバー部材１９１を筐体１０の右側板１３に取り付けることができる。
【００４１】
これにより、実施形態１と同様に、内側カバー部材２９２によってカバー部材１９１内への水の侵入が阻止され、さらに、取付部材７０のスリット（断熱部７４）が内側カバー部材２９２のプレート部２９２ｂによって塞がれるため、室外機１の内部への水の侵入がより一層防止される。
【００４２】
さらに、内側カバー部材２９２の上部および下部スペース２９２ａ1、２９２ａ2の内部空間に二方弁８１および三方弁８２が個別に収納されることに加え、二方弁８１および三方弁８２が断熱材２９２ｃによってそれぞれ覆われるため、内側カバー部材２９２の内部における二方弁８１と三方弁８２との間の空気を媒介にした熱交換が防止される。なお、取付部材７０のスリット（断熱部７４）によって取付部材７０を媒介とした二方弁８１および三方弁８２の間の熱交換も抑制されることは言うまでもない。
【００４３】
内側カバー部材２９２は金属製よりも断熱効果が高い樹脂製であることが好ましい。内側カバー部材２９２が金属製であっても、プレート部２９２ｂとスリット（断熱部７４）との間に多少の隙間ができるため断熱効果があるが、金属は樹脂に比べると熱伝導性が高いため、内側カバー部材２９２は樹脂製であることが好ましい。
【００４４】
（実施形態４）
図１２（Ａ）は実施形態４の室外機に用いられる取付部材を示す正面図であり、（Ｂ）は室外機の筐体に実施形態４の取付部材、第１および第２接続部材を介して第１および第２配管が取り付けられた状態を示す部分側面図である。なお、図１２（Ａ）および（Ｂ）において、図５中の要素と同様の要素には同一の符号を付している。
【００４５】
実施形態４の室外機は、実施形態１の室外機に設けられていた取付部材７０の代わりに図１２（Ａ）および（Ｂ）で示した取付部材１７０を用いること以外は、実施形態１の室外機と同様である。
以下、実施形態４における実施形態１とは異なる点を主に説明する。
【００４６】
実施形態４における取付部材１７０は、第１支持部１７１ａを構成する第１支持部材１７１と、第１支持部１７１ａと分離した第２支持部１７２ａを構成する第２支持部材１７２と、第１および第２支持部１７１ａ、１７２ａ間に設けられた断熱部１７４とを有し、第１および第２支持部１７１ａ、１７２ａには実施形態１と同様に大径孔部１７１ａ1、１７２ａ1およびネジ孔部１７１ａ2、１７２ａ2が設けられている。
【００４７】
つまり、実施形態４における取付部材１７０は、実施形態１における取付部材７０のスリット（断熱部７４）を真っ直ぐに延設して取付部材７０を２分割して別体としたものであり、この取付部材１７０の断熱部１７４は、筐体１０に取り付けられた取付部材１７０における第１支持部材１７１と第２支持部材１７２との間に設けられた隙間部である。なお、図１２（Ａ）中の符号１７１ｂ、１７２ｂは第１および第２支持部材１７１、１７２の各平板部である。
【００４８】
この取付部材１７０のように、本発明における取付部材は２つの部品から構成されてもよく、実施形態４の場合では取付部材１７０を媒介にした二方弁８１と三方弁８２との間の熱伝導が完全に遮断される。
また、実施形態４においても、実施形態１〜３で説明したカバー部材９１、１９１、蓋部材１９２、内側カバー部材２９２を選択的に用いることが好ましく、特に、蓋部材１９２のプレート部１９２ｂまたは内側カバー部材２９２のプレート部２９２ａ3を隙間部（断熱部１７４）に差し込んで隙間部を塞ぐことにより室外機内への水の侵入を防止することが好ましい。
【００４９】
（実施形態５）
図１３は実施形態５の室外機に用いられる取付部材を示す正面図である。
実施形態１〜５では取付部材が金属製である場合を例示したが、図１３で示す実施形態５のように取付部材２７０は全体が樹脂にて形成されてもよい。この場合、実施形態１（図４参照）で説明した取付部材７０における断熱部７４としてのスリットが省略される。なお、図１３において、符号２７３は平板部、２７１ａおよび２７２ａは大径孔部、２７１ｂおよび２７２ｂはネジ孔部である。
【００５０】
すなわち、実施形態５における取付部材２７０は、二方弁を支持する第１支持部２７１と三方弁を支持する第２支持部２７２との間が樹脂部分で繋がっており、その第１および第２支持部２７１、２７２間の樹脂部分が断熱部２７４となっている。換言すると、実施形態５における取付部材２７０は、金属よりも熱伝導率が大幅に低い断熱性の樹脂にて全体が構成されており、取付部材２７０全体が断熱部２７４としての機能を有する。
【００５１】
実施形態５における取付部材２７０を形成する樹脂としては、耐熱性に優れた樹脂が好ましく、例えば、ＰＥＳ（ポリエーテルサルフォン）、ＰＥＩ（ポリエーテルイミド）、ＰＡＩ（ポリアミドイミド）、ＰＥＥＫ（ポリエーテルエーテルケトン）、ＰＴＦＥ（ポリテトラフルオロエチレン）、ＰＰＳ（ポリフェニレンスルファイド）等のスーパーエンプラと呼ばれる熱可塑性樹脂、ＰＦ（フェノール樹脂）、ＭＦ（メラミン樹脂）、ＳＩ（シリコン樹脂）、ＥＰ（エポキシ樹脂）等の熱硬化性樹脂が挙げられる。なお、取付部材２７０の強度を上げるために、特に、第１および第２支持部２７１、２７２の内側（凹部）にリブを設けてもよい。
【００５２】
実施形態５の場合、取付部材２７０には実施形態１〜４のような断熱部としてのスリットまたは隙間部を有さないため、スリットまたは隙間部からの室外機内への水の侵入が生じないため蓋部材１９２や内側カバー部材２９２は必ずしも必要ではないが、カバー部材９１または１９１は室外機内への水の侵入を阻止する以外の役割も有しているため用いる方が好ましい。
【００５３】
（他の実施形態）
実施形態２（図８、図９（Ａ））で説明した蓋部材１９２の代わりに、そのプレート部１９２ｂを省略して蓋部１９２ａのみを用いてもよい。この場合、図９（Ｂ）で説明したカバー部材１９１の開口部１９１ｃに蓋部１９２ａを嵌め込んで取り付ける構造にすればよい。
あるいは、蓋部材１９２の蓋部１９２ａを省略してプレート部１９２ｂのみを用いてもよい。この場合、実施形態１（図７）で説明したカバー部材９１を併用することが好ましい。
【００５４】
（まとめ）
本発明の空気調和機の室外機は、圧縮機および熱交換器と、室内機の熱交換器と連結される第１配管および第２配管をそれぞれ接続する第１接続部材および第２接続部材と、前記第１接続部材を支持する第１支持部および前記第２接続部材を支持する第２支持部を有する取付部材とを備え、
前記取付部材は、前記第１および第２支持部間に断熱部が設けられている。
【００５５】
本発明の空気調和機の室外機は、次のように構成されてもよく、それらが適宜組み合わされてもよい。
（１）前記取付部材は、一体の部材であり、
前記断熱部は、前記第１支持部と前記第２支持部との間に形成されたスリットであってもよい。
この構成によれば、部品点数を増加させることなく容易に断熱部を形成することができる。なお、この構成は、特に、取付部材が金属製である場合に有効である。
【００５６】
（２）前記取付部材は、前記第１支持部を有する第１支持部材と、前記第２支持部を有する第２支持部材とから少なくとも構成され、
前記断熱部は、前記第１支持部材と前記第２支持部材との間に設けられた隙間であってもよい。
この構成によれば、第１支持部材にて支持された第１接続部材と第２支持部材にて支持された第２接続部材との間の熱伝導を大幅に低減することができる。なお、この構成は、特に、取付部材が金属製である場合に有効である。
【００５７】
（３）前記取付部材は樹脂で形成され、
前記断熱部は、前記樹脂からなる前記第１支持部と前記第２支持部との間の部分であってもよい。
この構成によれば、金属よりも熱伝導率が大幅に小さい樹脂にて取付部材を形成することにより、第１支持部材にて支持された第１接続部材と第２支持部材にて支持された第２接続部材との間の熱伝導を大幅に低減することができる。
【００５８】
（４）前記取付部材、前記第１接続部材および前記第２接続部材を覆うカバー部材と、蓋部材とをさらに備え、
前記カバー部材は、前記第１および第２配管を通す開口部を有し、
前記蓋部材は、前記カバー部材の前記開口部に配置されかつ前記第１および第２配管を個別に通す２つの引出口が設けられた蓋部と、前記取付部材の前記断熱部としての前記スリットまたは前記隙間に差し込んで取り付け可能に前記蓋部に連設されたプレート部とを有してもよい。
この構成によれば、カバー部材および蓋部材によって取付部材のスリットまたは隙間部から室外機内部への雨といった水の侵入を阻止することができる。
【００５９】
（５）前記取付部材、前記第１接続部材および前記第２接続部材を覆う内側カバー部材と、前記内側カバー部材を覆うカバー部材とをさらに備え、
前記カバー部材は、前記第１および第２配管を通す開口部を有し、
前記内側カバー部材は、前記第１および第２配管を個別に通す２つの引出口を有するカバー部と、前記取付部材の前記断熱部としての前記スリットまたは前記隙間に差し込んで取り付け可能に前記カバー部に連設されたプレート部とを有してもよい。
この構成によれば、内側カバー部材のプレート部を取付部材のスリットまたは隙間部に差し込んで取り付けることができると共に、取付部材のスリットまたは隙間部から室外機内部への雨といった水の侵入を効果的に阻止することができる。
【００６０】
（６）前記内側カバー部材は、前記カバー部の内面に設けられた断熱材をさらに有してもよい。
この構成によれば、第１支持部材にて支持された第１接続部材の周囲と第２支持部材にて支持された第２接続部材の周囲を断熱材にて覆うことができるため、第１および第２接続部材間の熱伝導をより低減することができる。
【００６１】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６２】
１  室外機
１０  筐体
２０  熱交換器
４０  圧縮機
７０
１７０、２７０  取付部材
７１、１７１ａ、２７１  第１支持部
７２、１７２ａ、２７２  第２支持部
７４  断熱部（スリット）
８１  第１接続部材（二方弁）
８２  第２接続部材（三方弁）
９１、１９１  カバー部材
９１ｃ、１９２ａ1、２９２ａ3  引出口
１０１  第１配管
１０２  第２配管
１７１  第１支持部材
１７２  第２支持部材
１７４  断熱部（隙間部）
１９１ｃ  開口部
１９２  蓋部材
１９２ａ  蓋部
１９２ｂ、２９２ｂ  プレート部
２７４  断熱部（樹脂部分）
２９２  内側カバー部材
２９２ａ  カバー部
２９２ｃ  断熱材
【図１】
2019074284.tif 000003
【図２】
2019074284.tif 000004
【図３】
2019074284.tif 000005
【図４】
2019074284.tif 000006
【図５】
2019074284.tif 000007
【図６】
2019074284.tif 000008
【図７】
2019074284.tif 000009
【図８】
2019074284.tif 000010
【図９】
2019074284.tif 000011
【図１０】
2019074284.tif 000012
【図１１】
2019074284.tif 000013
【図１２】
2019074284.tif 000014
【図１３】
2019074284.tif 000015